(57)【要約】      （修正有）【課題】ガラス板やプラスチック板に穴を穿設することなく壁面に取付けることができるようにしたサイン板取付け構造を提供する。【解決手段】サイン板２０の取付け箇所と発光器具３０が嵌まり込む形状の嵌込み凹部１１Ａが形成され、上面にねじの挿通穴１１Ｂ及び側面に雌ねじが形成され、挿通穴を挿通した雄ねじが壁面の雌ねじに螺合されることによって壁面に取付けられる取付けベース１１と、取付けベースに被せられ、側面の挿通穴を挿通した雄ねじが取付けベースの雌ねじに螺合されることによって取付けベースに固定され、取付けベースとの間でサイン板を挟持する押え片１２とから構成される複数の取付け治具と、発光素子と制御回路とをケース内に水密的に内蔵して構成され、取付けベースの嵌込み凹部内に嵌め込まれてサイン板のコーナー側面から内部に向けて光を入射させる発光器具３０と、を備える。【選択図】図３
2014038295.tif 000002
【特許請求の範囲】
【請求項１】
サイン板の複数の取付け箇所を壁面に取付けるようにしたサイン板取付け構造において、
上記サイン板（２０）の取付け箇所が嵌まり込むとともに上記サイン板（２０）の取付け箇所側面に対面する部位に発光器具（３０）が嵌まり込むような形状をなす嵌込み凹部（１１Ａ）が形成されるとともに、上面にねじの挿通穴（１１Ｂ）及び側面に雌ねじが形成され、上記挿通穴（１１Ｂ）を挿通した雄ねじが壁面にねじ込まれるか又は壁面の雌ねじに螺合されることによって壁面に取付けられる取付けベース（１１）と、該取付けベース（１１）に被せられ、側面にねじの挿通穴が形成され、該挿通穴を挿通した雄ねじが上記取付けベース（１１）の雌ねじに螺合されることによって上記取付けベース（１１）に固定され、上記取付けベース（１１）との間でサイン板（２０）を挟持する押え片（１２）とから構成される複数の取付け治具（１０）と、
発光素子と該発光素子を点灯を制御する制御回路とをケース内に水密的に内蔵して構成され、上記取付けベース（１１）の嵌込み凹部（１１Ａ）内に嵌め込まれて上記サイン板（１２）のコーナー側面から内部に向けて光を入射させる発光器具（３０）と、
を備えたことを特徴とするサイン板取付け構造。
【発明の詳細な説明】
【技術分野】
【０００１】
本発明は表札や看板などのサイン板取付け構造に関し、特にガラス板やプラスチック板に穴を穿設することなく壁面に取付けることができるようにした取付け構造に関する。
【背景技術】
【０００２】
最近、装飾性の観点などから、透明なガラス板やプラスチック板の表面に名前や模様を刻設し、このガラス板やプラスチック板を門柱やドア近くの外壁に取付け、ガラス板やプラスチック板をＬＥＤなどによって照明するようにした表札が注目されている。
【０００３】
この種の表札を取付ける場合、ガラス板やプラスチック板の四隅に穴を穿設し、穴に皿ねじ（雄ねじ）やボルト（以下、雄ねじ及びボルトを単に「雄ねじ」という）を挿通し、この雄ねじを壁面にねじ込むか又は壁面の雌ねじに螺合させることによってガラス板やプラスチック板を壁面に取付けることが行われている（特許文献１、特許文献２、特許文献３）。
【０００４】
また、表札を照明する場合、ＬＥＤの光をガラス板やプラスチック板の側面から内部に入射させるようにした構造（特許文献４）、ガラス板やプラスチック板を取付ける雄ねじを中空状に形成して内部にＬＥＤを挿入し、ＬＥＤの光を雄ねじの側面に形成した窓からガラス板やプラスチック板の内部に入射させるようにした構造（特許文献３）、が知られている。
【先行技術文献】
【特許文献】
【０００５】
【特許文献１】特開２０１０−２２４０７３号公報
【特許文献２】登録実用新案第３０５１０５３号公報
【特許文献３】特開２００６−５３２０２号公報
【特許文献４】登録実用新案第３１０６１３６号公報
【発明の開示】
【発明が解決しようとする課題】
【０００６】
しかし、特許文献１〜３記載の取付け構造ではガラス板やプラスチック板の四隅に穴を穿設するようにしているので、製造のコスト高を招来するばかりでなく、雄ねじで締め付ける際に穴の周縁に微小クラックが入りやすく、これがガラス板やプラスチック板の破損の原因になるという問題があった。
【０００７】
本発明はかかる点に鑑み、ガラス板やプラスチック板に穴を穿設することなく壁面に取付けることができるようにしたサイン板取付け構造を提供することを課題とする。
【課題を解決するための手段】
【０００８】
そこで、本発明に係るサイン板取付け構造は、サイン板の複数の箇所を壁面に取付けるようにしたサイン板取付け構造において、上記サイン板の取付け箇所が嵌まり込むとともに上記サイン板の取付け箇所の側面に対面する部位に発光器具が嵌まり込むような形状をなす嵌込み凹部が形成されるとともに、上面にねじの挿通穴及び側面に雌ねじが各々形成され、上記挿通穴を挿通した雄ねじが壁面にねじ込まれるか又は壁面の雌ねじに螺合されることによって壁面に取付けられる取付けベースと、該取付けベースに被せられ、側面にねじの挿通穴が形成され、該挿通穴に挿通した雄ねじが上記取付けベースの雌ねじに螺合されることによって上記取付けベースに固定され、上記取付けベースとの間でサイン板の取付け箇所を挟持する押え片とから構成される複数の取付け治具と、発光素子と該発光素子を点灯を制御する制御回路とをケース内に水密的に内蔵して構成され、上記取付けベースの嵌込み凹部内に嵌め込まれて上記サイン板の取付け箇所側面から内部に向けて光を入射させる発光器具と、を備えたことを特徴とする。
【０００９】
本発明の特徴の１つは複数の取付け治具の取付けベースを壁面に取付け、取付けベースに押え片を被せて固定し、複数の取付け治具の取付けベースと押え片との間にサイン板の取付け箇所を挟持するようにした点にある。これにより、サイン板に穴を穿設することなく、サイン板を壁面に取付けることができ、サイン板の破損のおそれを少なくできる。
【００１０】
また、サイン板を壁面から浮かせた状態に取付けることができるので、サイン板が雨水に濡れても直ちに乾き、水濡れに起因するサイン板の汚れを少なくでき、サイン板の見栄えを保証できる。
【００１１】
発光素子と制御回路をケース内に水密的に内蔵して発光器具を構成し、この発光器具を取付けベース内に嵌め込むようにしたので、発光器具が雨水に濡れても故障が発生するおそれが少なく、発光器具の高い信頼性を確保できる。
【００１２】
発光器具の電源は特に限定されず、商用電源を電源とし、直流に変圧して発光器具に供給して夜間に発光せせるようにしてもよく、又ソーラパネルを使用し、発電して蓄電器などに充電し、これを発光器具に与えて夜間に発光させるようにしてもよい。
【００１３】
また、制御回路はタイマーを備え、設定時刻になると、発光素子を発光させるようにしてもよく、又光センサーを備え、周囲の明るさを検知して発光素子を発光させるようにしてもよい。
【図面の簡単な説明】
【００１４】
【図１】本発明に係るサイン板取付け構造の好ましい実施形態を示す概略斜視図である。
【図２】上記実施形態を示す要部斜視図である。
【図３】上記実施形態における取付け治具を示す分解斜視図である。
【図４】上記実施形態における発光器具を示す図である。
【発明を実施するための形態】
【００１５】
以下、本発明を図面に示す具体例に基づいて詳細に説明する。図１ないし図４は本発明に係るサイン板取付け構造の好ましい実施形態を示す。図において、取付け治具１０は取付けベース１１と押え片１２とから構成されている。
【００１６】
取付けベース１１は四角形ブロック状をなし、取付けベース１１には嵌込み凹部１１Ａが形成され、嵌込み凹部１１Ａはサイン板２０のコーナー（取付け箇所）が嵌まり込むとともに、サイン板２０のコーナー側面に対面する部位に発光器具３０が嵌まり込むような形状となっている。
【００１７】
また、取付けベース１１の上面には取付けねじ（雄ねじ）の挿通穴１１Ｂが形成され、取付けベース１１の側面には締結ねじ（雄ねじ）１３が螺合される雌ねじ（図示せず）が形成されている。
【００１８】
他方、押え片１２は取付けベース１１の上側から外嵌し得る形状をなし、側面には締結ねじ１３の挿通穴が形成されており、締結ねじ１３を挿通穴に挿通して取付けベース１１の雌ねじに螺合することによって、押え片１２を取付けベース１１に固定できるようになっている。
【００１９】
発光治具３０はケース内にＬＥＤ（発光素子）とＬＥＤの点灯を制御する制御回路を内に水密的に内蔵して構成され、制御回路にはＡＣ／ＤＣコンバータとＬＥＤの点灯制御回路が設けられ、商用電源を直流に変換して点灯制御回路に与えてＬＥＤを点灯させるようになっている。また、ケース内には光センサーが内蔵され、周囲が所定の暗さになったときに点灯制御回路がＬＥＤを点灯させるようになっている。
【００２０】
本例の構造でサイン板２０を取付ける場合、取付けベース１１の嵌込み凹部１１Ａに発光器具３０を嵌め込み、両面粘着テープなどによって取付ける。次に、取付けベース１１を壁面にセットして手で押えながら、取付けベース１１の挿通穴１１Ａに取付けねじを差し込み、壁面にねじ込んで取付けベース１１の１つをサイン板２０の１つのコーナーに対応する壁面の部位に固定する。
【００２１】
雄ねじにボルトを使用する場合には壁面に雌ねじを埋設しておき、挿通穴１１Ａに挿通したボルトを壁面の雌ねじに螺合させることによって取付けベース１１を固定する。
【００２２】
同様にして、サイン板２０の残りの３カ所に対応する壁面の部位にも取付けベース１１に固定した後、サイン板２０を取付けベース１１の嵌込み凹部１１Ａに嵌め込み、その上から押え片１２を被せ、締結ねじ１３を押え片１２の挿通穴に挿通して取付けベース１１の雌ねじにねじ込むと、押え片１２を取付けベース１１に固定できる。
【００２３】
残りの取付けベース１１についても同様に押え片１２を固定すると、取付けベース１１と押え片１２との間にサイン板２０が挟持され、こうしてサイン板２０を壁面にしっかりと固定することができる。
【００２４】
以上のように、４つの取付け治具１０の取付けベース１１を壁面に取付け、４つの取付け治具１０の取付けベース１１と押え片１２との間にサイン板２０のコーナーを挟持するようにしたので、サイン板２０に穴を穿設することなく、サイン板２０を壁面に取付けることができ、サイン板２０の破損のおそれを少なくできる。
【００２５】
また、サイン板２０を壁面から浮かせた状態に取付けるようにしたので、サイン板２０が雨水に濡れても直ちに乾き、水濡れに起因するサイン板２０の汚れを少なくでき、サイン板２０の見栄えを保証できる。
【００２６】
ＬＥＤと制御回路をケース内に水密的に内蔵して発光器具３０を構成し、この発光器具３０を取付けベース１１内に嵌め込むようにしたので、発光器具３０が雨水に濡れても故障が発生するおそれが少なく、発光器具３０の高い信頼性を確保できる。
【００２７】
なお、上記の例ではサイン板が四角形の場合について説明したが、四角形に限定されず、三角形、五角形、六角形などの他の多角形、円形や楕円形、さらに動物などの任意の形状であってもよい。
【符号の説明】
【００２８】
１０        取付け治具
１１        取付けベース
１２        押え片
１３        締結ねじ
２０        サイン板
３０        発光器具
【図１】
2014038295.tif 000003
【図２】
2014038295.tif 000004
【図３】
2014038295.tif 000005
【図４】
2014038295.tif 000006